(57)【要約】【課題】  正当権限付与された作業員であれば簡単に締結具の防護を解除できる一方、部外者には防護を容易に解除できないようにセキュリティー機能を改善する。【解決手段】  カバー内筒とカバー外筒の相対移動を、ボール逃げ溝がボール受孔に連通しない拘束位置と、ボール逃げ溝がボール受孔に連通する釈放位置との間に規制する。カバー外筒が釈放位置に移動したとき、カバー内筒の基端面から突出するキーパ受部をカバー外筒に形成する。ボール逃げ溝の開口縁部で内側に押されたボールがボール受孔とボール係止溝に跨って係合して、カバー内筒がホルダに拘束される。ボール係止溝の開口縁部で外側に押されたボールがボール受孔とボール逃げ溝に跨って係合して、カバー内筒がホルダから釈放される。カバー外筒と締付対象物との間から挿入したキーパ部材を若干引き戻してキーパ受部に係合させる。【選択図】図１
2005090643.tif 000002
【特許請求の範囲】
【請求項１】
締結具と締結対象物の間において締結具の軸線方向に移動不能に配置され、外周面にボール係止溝を形成したホルダと、締結具のトルク伝達部とホルダに嵌め合わされ、締結具の軸線周りに空転可能であって、筒壁部に半径方向のボール受孔を貫通形成したカバー内筒と、カバー内筒に嵌め合わされ、締結具の軸線周りに空転可能かつ締結具の軸線方向に移動可能であって、筒壁部内周面にボール逃げ溝を形成したカバー外筒と、カバー内筒のボール受孔にカバー内筒の内側空間へ脱落しないよう収容され、ホルダのボール係止溝に内側の一部が係合可能であるとともに、カバー外筒のボール逃げ溝に外側の一部が入り込み可能であるボールと、カバー内筒とカバー外筒の間に装備され、カバー外筒を締付対象物から離反する方向に移動付勢するバネ部材と、カバー内筒とカバー外筒の相対移動を、ボール逃げ溝がボール受孔に連通しない拘束位置と、ボール逃げ溝がボール受孔に連通する釈放位置との間に規制する規制部材とからなり、
カバー外筒が前記釈放位置に移動したとき、カバー内筒の筒壁部基端面から突出するキーパ受溝をカバー外筒の筒壁部内周面に形成し、ボール逃げ溝の開口縁部で内側に押されたボールがボール受孔とボール係止溝に跨って係合することによって、カバー内筒がホルダに拘束される一方、ボール係止溝の開口縁部で外側に押されたボールがボール受孔とボール逃げ溝に跨って係合することによって、カバー内筒がホルダから釈放され、カバー外筒の筒壁部基端面と締付対象物との間から挿入したキーパ部材の先端部をキーパ受溝に係合させて、カバー外筒を前記釈放位置に保持するようにした締結具の取外し防護装置。
【請求項２】
カバー内筒の外周面とカバー外筒の外周面を密接するように対面配置したことを特徴とする請求項１に記載の取外し防護装置。
【請求項３】
カバー外筒の先端部を円錐台形状に形成したことを特徴とする請求項１または請求項２に記載の取外し防護装置。
【請求項４】
一対のキーパ部材の中間部を枢軸ピンによって相互に連結し、鋏状に形成したことを特徴とする請求項１、請求項２または請求項３に記載の取外し防護装置。
【発明の詳細な説明】
【技術分野】
【０００１】
本発明は、ボルトやナットなどの螺合による締結具に対して適用され、部外者による締結具のトルク伝達部へのアクセスを阻止できる締結具取外し防護装置に関する。
【背景技術】
【０００２】
従来から、ボルトやナットといった締結具を使用して鉄塔や建物などの建築物を組み立て、鉄道などの施設物に対する機構部品の固定を行なうことが広く行われている。この螺合による締結では、締付けトルクの調整により締結力の適正な増減が容易であり、締結終了後も必要に応じて締結力の再調整が可能である。締結用トルクを締結具に伝達するスパナなどの工具は、一般的に市販されている。
【０００３】
近時、送電用鉄塔や鉄道線路の締結箇所を、何者かが意図的に取外してしまう事件が発生している。ボルトとナットの締結箇所に使用されている従来の緩み止め構造は、悪意ある者がスパナなどの一般用工具によって締結状態を解くことまでは、防護できない。
【０００４】
そのため、専用の締結部取外し防止具が各種提案されているおり、最新ものもとしては、締結具の軸線方向の一方側から少なくともトルク伝達部を包囲し、内周側に溝を有するカバー部材と、外周側部分がカバー部材の内周側の溝に嵌合するように付勢され、カバー部材の溝が形成されていない内周面に沿って摺動可能なように、外周側からの押圧で径が縮小可能なバネ部材と、当該バネ部材を締結具の軸線方向に関して拘束する拘束部材とを含むものがある（特許文献１参照）。
【０００５】
この締結部取外し防止具は、構成が簡略かされて外部に突出する構成部分がないこと、そして、ボルトの頭部側でも先端側でも取外し防止を図れるという利点を有するのであるが、前記バネ部材を縮径方向に駆動するための操作具の挿入孔が、カバー部材の側壁部を貫通して形成されているため、正規の操作具によらなくても、細い金属棒を横から差し込むことによって、誰にでも簡単に前記バネ部材を駆動してカバー部材を締結具から外せるようになっているため、セキュリティーの点で問題が残されている。
【０００６】
【特許文献１】特開２００３−１１３８２９号公報
【発明の開示】
【発明が解決しようとする課題】
【０００７】
解決しようとする課題は、装着状態では締結具のトルク伝達部へのアクセスを的確に阻止できるとともに、正当権限を付与された作業員であれば必要に応じて容易に撤去でき、また、この撤去には外観的に通常では容易に察知できない部材の使用と所定の手順を必要とするため、セキュリティー機能の改善された締結具の取外し防護装置を提供することである。
【課題を解決するための手段】
【０００８】
本発明は、締結具と締結対象物の間において締結具の軸線方向に移動不能に配置され、外周面にボール係止溝を形成したホルダと、締結具のトルク伝達部とホルダに嵌め合わされ、締結具の軸線周りに空転可能であって、筒壁部に半径方向のボール受孔を貫通形成したカバー内筒と、カバー内筒に嵌め合わされ、締結具の軸線周りに空転可能かつ締結具の軸線方向に移動可能であって、筒壁部内周面にボール逃げ溝を形成したカバー外筒と、カバー内筒のボール受孔にカバー内筒の内側空間へ脱落しないよう収容され、ホルダのボール係止溝に内側の一部が係合可能であるとともに、カバー外筒のボール逃げ溝に外側の一部が入り込み可能であるボールと、カバー内筒とカバー外筒の間に装備され、カバー外筒を締付対象物から離反する方向に移動付勢するバネ部材と、カバー内筒とカバー外筒の相対移動を、ボール逃げ溝がボール受孔に連通しない拘束位置と、ボール逃げ溝がボール受孔に連通する釈放位置との間に規制する規制部材とからなり、
カバー外筒が前記釈放位置に移動したとき、カバー内筒の筒壁部基端面から突出するキーパ受溝をカバー外筒の筒壁部内周面に形成し、ボール逃げ溝の開口縁部で内側に押されたボールがボール受孔とボール係止溝に跨って係合することによって、カバー内筒がホルダに拘束される一方、ボール係止溝の開口縁部で外側に押されたボールがボール受孔とボール逃げ溝に跨って係合することによって、カバー内筒がホルダから釈放され、カバー外筒の筒壁部基端面と締付対象物との間から挿入したキーパ部材の先端部をキーパ受溝に係合させて、カバー外筒を前記釈放位置に保持するようにしたことを主たる特徴とする。
【発明の効果】
【０００９】
請求項１の発明では、バネ部材の作用によってカバー外筒が前記拘束位置に維持されるとき、ボールがボール受孔とボール係止溝に跨って係合することによって、カバー内筒がホルダに拘束されるため、カバー内筒をホルダから抜取ることはできない。何らかの手段でカバー外筒を回して見ても、カバー外筒がカバー内筒に対して空転し、カバー内筒がホルダに対して空転するだけであるから、締結具のトルク伝達部にアクセスして回すことができない。そのため、締結具による締付対象物の締結状態は的確に維持される。
【００１０】
正当権限のある作業員が正規のキーパ部材をカバー外筒の筒壁部と締付対象物の間に差し込んだ状態で、カバー外筒を締付対象物に向かって前記釈放位置まで押圧し、カバー外筒のキーパ受溝をカバー内筒の筒壁部のレベルから突出させ、その後、キーパ部材を若干引き戻してキーパ受溝にキーパ部材の先端部を挿入し、これによってカバー外筒を当該釈放位置に保持し、その後、カバー内筒を締付対象物から離反する方向に移動させて、ボールをボール受孔とボール逃げ溝に跨って係合させることによって、カバー内筒をホルダから釈放させ、カバー外筒とカバー内筒を締結具とホルダから抜取ることができる。
すなわち、機構部品の交換や構造物の保守点検などの必要があるときには、所定のキーパ部材を所定の手順で使用すれば、取外し防護装置を確実に撤去して、締結具を外したり、締付力を調整したりすることができる。
【００１１】
キーパ部材を使用しないでカバー外筒の押圧操作を単に反復しただけでは、バネ部材の作用によってカバー内筒が即座に拘束状態に復帰してしまうものであり、しかも、このキーパ部材は通常では予想し得ない位置と方向において適用される、すなわちカバー外筒と締付対象物との間の隙間位置においてキーパ部材を差込み、その後若干引き戻してキーパ部材の先端部をカバー外筒の内周面にあるキーパ受溝に係合させるものであり、このようなキーパ部材と操作手順は、外観的には普通では容易に察知されないものであるから、セキュリティー機能が大幅に改善される。
【００１２】
ボールはホルダのボール係止溝に係合するものであり、締結具であるボルトやナットにはボール係止溝を形成する必要がないから、既存のナットまたはボルト頭部の下側にホルダを挿入することによって、既存の締結箇所にも追加装着することができる。ボルトやナットに溝切り加工を施す必要がなく、市販の普通のボルトやナットの取外し防護に直ちに適用でき、汎用性に優れている。
【発明を実施するための最良の形態】
【００１３】
ホルダ、カバー内筒、カバー外筒、ボール、規制部材はいずれも金属材料により機械的衝撃に対して剛に構成することによって、悪意者による打撃や捩じ曲げなどの攻撃に対して強固に製作する。
【実施例１】
【００１４】
実施例１は、締結具がボルト１９である場合であり、図1から図４に示す。
ホルダ１は、ダブルナット方式の締付構造において第１段目のナット部材を兼ねたものであり、図９から図１１に示したように相対向する二側面１ａ，１ｂが平行面に削成され、スパナなどの回転操作用工具が掛けられるようになっている。本実施例とは異ならせて、ホルダ１を単なる座金として構成することもでき、また、締付対象物２から一体に立ち上げ形成した台座部で構成することもできる。
ホルダ１の先端部外周面には傾斜角度２０度のカム斜面３が形成されている。ボール係止溝４は、カム斜面３より少し下側の位置に環状に形成されている。
【００１５】
カバー内筒５の先端部外周面には、傾斜角度約４５度のカム斜面６が形成されている。カバー内筒５の筒壁部の外周面には、ピン形の規制部材７の先端部が挿入される規制溝８が、カム斜面６より少し下側の位置に環状に形成されている。ボール受孔９はカバー内筒５の筒壁部の基端部に複数個形成されている。当該筒壁部の下端内周面には、傾斜角度約４５度のカム斜面１０が形成されている。カバー内筒５の頂壁部の環形凹部１１が形成されており、これには圧縮コイルバネよりなるバネ部材１２の基端部が収容されている。
【００１６】
ホルダ１のカム斜面３とカバー内筒５のカム斜面１０は、カバー内筒５をホルダ１に嵌め合わせるときのガイドとなり、カバー内筒５のカム斜面６は、カバー外筒１３をカバー内筒５に嵌め合わせるときのガイドとなる。
カバー外筒１３は、先端部が円錐台形状に形成されており（請求項２の発明）、その頂壁部には円形陥没部１４が形成されている。円形陥没部１４にはバネ部材１２の先端部が収容されている。規制部材７たるピンは、カバー外筒１３の半径方向の貫通孔１５に打ち込み固着されており、境界部を外面からは判別できないように表面仕上げされている。
上記にようにカバー外筒１３の先端部を円錐台形状に形成したときには、カバー外筒１２の軸線方向からプライヤーなどの通常の挟み工具を適用しても、工具先端が円錐面で滑ってしまうことになり、カバー外筒１３の回転それ自体を阻止することできる。
【００１７】
カバー内筒５のボール受孔９の内側の孔縁部は求心方向に爪状に湾曲変形させられており、鋼球よりなるボール１６がカバー内筒５の内側空間に脱落するのを阻止している。
カバー内筒５とカバー外筒１３は、カバー内筒５の外周面をカバー外筒１３の内周面に密接するように対面させて配置させてあり（請求項３の発明）、内外２重の筒構造になっている。カバー内筒５がカバー外筒１３に対してバックアップ部材として機能するので、カバー外筒１３の主体部胴面を何らかの手段で挟み付けたり打撃したりしても、カバー外筒１３が歪曲変形して、ボール１６による拘束機能が致命的に喪失する危険性がない。
【００１８】
図１に示したように、本発明の取外し防護装置がホルダ１に装着されている状態では、ボール１６は、ホルダ１のボール係止溝４に内側の一部が係合しており、ボール１６の外側球面はカバー外筒１３の筒壁部の内面に当接しており、ボール１６はカバー内筒５のボール受孔９とホルダ１のボール係止溝４に跨って係合している。このときのカバー外筒１３のカバー内筒５に対する相対位置は、バネ部材１２の付勢によって規制部材７の先端部が規制溝８の上側壁面１８に当接することによって、的確に維持されているため、カバー外筒１３が前記釈放位置に変移することはあり得ず、カバー内筒５は前記ボール１６を介してホルダ１に強固に拘束されている。
そのため、カバー外筒１３及びカバー内筒５に包囲されているボルト１９の頭部たるトルク伝達部２０には、誰もアクセスすることができない。
【００１９】
取外し防護装置を外したいときには、図２に示したようにキーパ部材２１をホルダ１の基端部外面に突き当たるようにカバー外筒１３の筒壁部と締付対象物２との隙間から深く差し込む。その状態で、カバー外筒１３をバネ部材１２の付勢に抗して締付対象物２に向かって押圧し、カバー外筒１３の筒壁部の基端面をキーパ部材２１の上面に近接させる。この押圧位置では、規制部材７の先端部は前記規制溝８の下側壁面２８に当接しており、カバー外筒１３の環状のボール逃げ溝２３は、カバー内筒５のボール受孔９に連通した釈放位置に来ている。
【００２０】
図３に示したようにカバー外筒１３の押圧を維持したまま、キーパ部材２１を若干引き戻すことによって、キーパ部材２１の先端部２２をカバー外筒１３の環状のキーパ受溝２４に係合させる。これによってカバー内筒５とカバー内筒１３はバネ部材１２の付勢によって一体的に結合保持され、キーパ部材２１を引き上げることによって、図４に示したように締結具１９とホルダ１から抜取り分離される。この抜取り分離過程の当初段階において、ボール係止溝４の開口縁部に押されたボール１６は外側に移動し、図４に示したようにボール逃げ溝２３とボール受孔９に跨って係合する。
正当権限のある作業員は、露出した締結具１９にスパナなどの工具を掛けることによって締結具１９を緩めたり、強く締め直したりすることができる。
【００２１】
図４に示した状態からキーパ部材２１をカバー外筒１３のキーパ受溝２４から離脱させると、バネ部材１２の作用によってカバー外筒１３とカバー内筒５の相対位置は伸長方向に変移し、規制部材７の先端部が前記規制溝８の上側壁面１８に当接することによって、この変移が終了する。この変移過程の当初段階において、ボール逃げ溝２３の開口縁部によって押されたボール１６は内側に移動し、内側の一部がカバー内筒５の内側空間に突出する。
【００２２】
カバー外筒１３とカバー内筒５の前記伸長方向の変移が終了した段階では、ボール逃げ溝２３はボール受孔９に連通しない拘束位置に来ている。この状態にある防護装置を改めてホルダ１に装着すると、カバー内筒５の内側に一部が突出した状態に保持されているボール１６の当該一部にホルダ１の前記カム斜面３が当接する。その状態でカバー外筒１３を締付対象物２に向かって押圧させ、ボール逃げ溝２３をボール受孔９に連通させると、ボール１６が外側に移動し外側の一部がボール逃げ溝２３に入り込み、カバー内筒５はホルダ１のカム斜面３の部分を通過することができる。カバー内筒５のボール受孔９がホルダ１のボール係止溝４に連通した段階で、カバー外筒１３の押圧を止めると、カバー外筒１３はバネ部材１２の作用によって締付対象物２から離反する方向に移動し、この移動過程の当初段階においてボール逃げ溝２３の開口縁部によってボール１６が内側に押され、ボール１６の内側の一部がホルダ１のボール係止溝４に入り込むことになり、取外し防護装置は図１に示したように再装着される。
【実施例２】
【００２３】
実施例２は、締結具がスタッドボルト２５とナット２７である場合であり、図５から図８に示す。
カム外筒１３の頂壁部の中央部にスタッドボルト２５の軸部が突出する開口部１７を形成してあり、カバー内筒５の頂壁部の中央部にスタッドボルト２５の軸部が突出する開口部２６を形成してある外は、構成の主要部は前記した実施例１とほぼ同じであるので、詳細な説明は省略する。ホルダ１は、ダブルナット方式の締付構造において第１段目のナット部材を兼ねたものとなっている。
【００２４】
図５に示したように、取外し防護装置がホルダ１に装着されている状態では、ボール１６は、ホルダ１のボール係止溝４に内側の一部が係合し、外側の一部がカバー外筒１３の内周面に当接し、ボール１６はカバー内筒５のボール受孔９とホルダ１のボール係止溝４に跨って係合している。このとき、バネ部材１２の作用により規制部材７の先端部が規制溝８の上側壁面１８に当接することによって、カバー外筒１３のカバー内筒５に対する相対位置が的確に維持されているため、カバー外筒１３が前記釈放位置に変移することはあり得ず、カバー内筒５は前記ボール１６を介してホルダ１に強固に拘束連結されている。
そのため、カバー外筒１３及びカバー内筒５に包囲されている締結具たるナット２７のトルク伝達部には、誰もアクセスすることができない。
【００２５】
取外し防護装置を外したいときには、図６に示したようにキーパ部材２１をホルダ１の基端部外面に突き当たるようにカバー外筒１３の筒壁部と締付対象物２の間から差し込む。その状態で、カバー外筒１３をバネ部材１２に抗して締付対象物２に向かって押圧し、カバー外筒１３の基端面をキーパ部材２１の上面に近接させる。この押圧位置では、規制部材７の先端部は前記規制溝８の下側壁面２８に当接し、カバー外筒１３のボール逃げ溝２３は、カバー内筒５のボール受孔９に連通した釈放位置に来ている。
【００２６】
図７に示したようにカバー外筒１３の押圧を維持したまま、キーパ部材２１を若干引き戻すことによって、キーパ部材２１の先端部２２をカバー外筒１３のキーパ受溝２４に係合させる。これによってカバー内筒５とカバー内筒１３はバネ部材１２によって一体的に保持され、キーパ部材２１を引き上げることによって、図８に示したように締結具１９、２５とホルダ１から抜取り分離される。この抜取り分離過程の当初段階において、ボール係止溝４の開口縁部に押されたボール１６は外側に移動し、図８に示したようにボール逃げ溝２３とボール受孔９に跨って係合する。
前記作業員は、露出した締結具たるナット２７にスパナなどの工具を掛けることによってナット２７を緩めたり、強く締め直したりすることができる。
【００２７】
図８に示した状態からキーパ部材２１をカバー外筒１３のキーパ受溝２４から抜脱すると、バネ部材１２によってカバー外筒１３とカバー内筒５の相対位置は伸長方向に変移し、規制部材７の先端部が前記規制溝８の上側壁面１８に当接して、この変移が終了する。この変移過程の当初段階において、ボール逃げ溝２３の開口縁部によって押されたボール１６は内側に移動し、内側の一部がカバー内筒５の内側空間に突出する。
【００２８】
カバー外筒１３とカバー内筒５の前記伸長方向の変移が終了した段階では、ボール逃げ溝２３はボール受孔９に連通しない拘束位置に来ている。この状態にある防護装置を改めてホルダ１に装着すると、カバー内筒５の内側に突出しているボール１６の一部にホルダ１の前記カム斜面３が当接する。その状態でカバー外筒１３を締付対象物２に向かって押圧させ、ボール逃げ溝２３をボール受孔９に連通させると、ボール１６が外側に移動し外側の一部がボール逃げ溝２３に入り込む。これによって、カバー内筒５はホルダ１のカム斜面３の区域を通過できる。カバー内筒５のボール受孔９がホルダ１のボール係止溝４に連通した段階で、カバー外筒１３の押圧を止めると、カバー外筒１３はバネ部材１２によって締付対象物２から離反する方向に移動し、この移動過程の当初段階においてボール逃げ溝２３の開口縁部によってボール１６が内側に押され、ボール１６の内側の一部がホルダ１のボール係止溝４に入り込むことによって、取外し防護装置は図５に示したように再装着される。
すなわち、取外し防護装置の装着作業は、カバー内筒５の締結具及びホルダ１に対する被せ操作とカバー外筒１３の押圧操作によって自動的に簡単かつ迅速になされる。
【００２９】
上記実施例１，２では、キーパ部材２１は２個用意され、２個の細長いキーパ部材２１の中間部は枢軸ピン２９で鋏状に開閉するように連結されており（請求項４の発明）、各キーパ部材２１の基端部には指掛け輪部３０が形成されている。カバー外筒１３のキーパ溝部２４に係脱する先端部は、キーパ部材２１の母材部分を含めて断面コ字状に形成されており、使用に当たっては、当該母材部分は締付対象物２の上面に沿ってカバー外筒１３と締付対象物２の間に差し込まれ、立ち上がり部分を介して母材部分と平行に曲げ形成された先端部２２，２２は、前記枢軸ピン２９を中心にキーパ部材２１，２１を開閉することによって、キーパ受溝２４に同時に挿入されるので、操作性が良い。
また、そのまま、一対のキーパ部材２１，２１を引き上げれば、ボール１６とボール係止溝４との再係合の自体を生じることなく、円滑かつ的確にカバー内筒５とカバー外筒１３を締結具とホルダ１から抜取り分離することができ、操作性が良い。
【図面の簡単な説明】
【００３０】
【図１】本発明の実施例１に係る取外し防護装置の装着状態の中央縦断面図である。
【図２】図１の状態から、キーパ部材を差し入れてカバー外筒を押圧した状態の中央縦断面図である。
【図３】図２の状態から、キーパ部材を若干引き戻してカバー外筒のキーパ受溝にキーパ部材の先端部を挿入した状態の中央縦断面図である。
【図４】図３の状態から、キーパ部材によってカバー外筒とカバー内筒を一体としてホルダから抜取り分離した状態の中央縦断面図である。
【図５】本発明の実施例２に係る取外し防護装置の装着状態の中央縦断面図である。
【図６】図５の状態から、キーパ部材を差し入れてカバー外筒を押圧した状態の中央縦断面図である。
【図７】図６の状態から、キーパ部材を若干引き戻してカバー外筒のキーパ受溝にキーパ部材の先端部を挿入した状態の中央縦断面図である。
【図８】図７の状態から、キーパ部材によってカバー外筒とカバー内筒を一体としてホルダから分離した状態の中央縦断面図である。
【図９】本発明の実施例１と実施例２に共通に使用したホルダの平面図である。
【図１０】図９のホルダの正面図である。
【図１１】図９のホルダの背面図である。
【図１２】本発明の実施例１に使用したカバー内筒の平面図である。
【図１３】図１２のカバー内筒の中央縦断面図である。
【図１４】本発明の実施例１に使用したカバー外筒の底面図である。
【図１５】図１４のカバー外筒の中央縦断面図である。
【図１６】本発明の実施例１と実施例２に共通に使用するキーパ部材の平面図である。
【符号の説明】
【００３１】
１  ホルダ
２  締付対象物
３  ホルダのカム斜面
４  ボール係止溝
５  カバー内筒
６  カバー内筒のカム斜面
７  規制部材
８  規制溝
９  ボール受孔
１０  カバー内筒のカム斜面
１１  環形凹部
１２  バネ部材
１３  カバー外筒
１４  円形陥没部
１５  カバー外筒の貫通孔
１６  ボール
１７  カム外筒の開口部
１８  規制溝の上側壁面
１９  締結具たるボルト
２０  トルク伝達部
２１  キーパ部材
２２  キーパ部材の先端部
２３  ボール逃げ溝
２４  キーパ受溝
２５  スタッドボルト
２６  カム内筒の開口部
２７  締結具たるナット
２８  規制溝の下側壁面
２９  キーパ部材の枢軸ピン
【図１】
2005090643.tif 000003
【図２】
2005090643.tif 000004
【図３】
2005090643.tif 000005
【図４】
2005090643.tif 000006
【図５】
2005090643.tif 000007
【図６】
2005090643.tif 000008
【図７】
2005090643.tif 000009
【図８】
2005090643.tif 000010
【図９】
2005090643.tif 000011
【図１０】
2005090643.tif 000012
【図１１】
2005090643.tif 000013
【図１２】
2005090643.tif 000014
【図１３】
2005090643.tif 000015
【図１４】
2005090643.tif 000016
【図１５】
2005090643.tif 000017
【図１６】
2005090643.tif 000018